(57)【特許請求の範囲】
【請求項１】
商品搬出装置及び他の電力消費機器を非停電時に商用電源によって駆動されるように制御する主制御部を備えた自動販売機おいて、
前記商用電源の停電時に電源となる蓄電装置と、
停電時に蓄電装置からの電力を供給する電源継電部と、
主制御部とは別体に構成され、停電時に蓄電装置の電力によって動作し、商品搬出装置を停電時に蓄電装置の電力によって駆動されるように制御する停電時制御部とを備え、
外扉の前面に広告パネルを設置可能な開口部を有し、
開口部内に広告パネルを設置せずに少なくとも停電時制御部を配置した
ことを特徴とする自動販売機。
【請求項２】
商品搬出装置及び他の電力消費機器を非停電時に商用電源によって駆動されるように制御する主制御部を備えた自動販売機おいて、
前記商用電源の停電時に電源となる蓄電装置と、
停電時に蓄電装置からの電力を供給する電源継電部と、
主制御部とは別体に構成され、停電時に蓄電装置の電力によって動作し、商品搬出装置を停電時に蓄電装置の電力によって駆動されるように制御する停電時制御部と、
蓄電装置を蓄電する手動式発電機とを備え、
外扉の前面に広告パネルを設置可能な開口部を有し、
開口部内に少なくとも手動式発電機を配置した
ことを特徴とする自動販売機。
【請求項３】
停電時に電源継電部が蓄電装置から電力を供給するか否かを設定する継電設定手段を備えた
ことを特徴とする請求項１または２記載の自動販売機。
【請求項４】
停電時に、蓄電装置に蓄電されている電力が所定の電圧以上であって、継電設定手段によって電源継電部が蓄電装置からの電力を供給するように設定されている場合に蓄電装置からの電力を供給する
ことを特徴とする請求項３記載の自動販売機。
【請求項５】
前記蓄電装置が商用電源によって蓄電される
ことを特徴とする請求項１、２、３または４記載の自動販売機。
【請求項６】
前記開口部を開閉する扉を備えた
ことを特徴とする請求項１、２、３、４または５記載の自動販売機。
【請求項７】
前記扉を施錠可能な錠前を備えた
ことを特徴とする請求項６記載の自動販売機。
【請求項８】
停電時に搬出する商品を選択する商品選択手段を備えた
ことを特徴とする請求項１、２、３、４、５、６または７記載の自動販売機。
【請求項９】
前記主制御部に接続され、非停電時に搬出する商品を選択するために外扉に設けられた商品選択スイッチを、前記商品選択手段として用いる
ことを特徴とする請求項８記載の自動販売機。
【請求項１０】
停電時に搬出する商品を選択する商品選択スイッチを備え、
商品選択スイッチを前記開口部内に配置した
ことを特徴とする請求項１、２、３、４、５、６、７、８または９記載の自動販売機。
【請求項１１】
前記商品搬出装置の売切検知装置によって商品の売り切れを検知する第１の制御モードと、商品の売り切れを検知しない第２の制御モードとを相互に切り換えるモード切換手段を設けた
ことを特徴とする請求項１、２、３、４、５、６、７、８、９または１０記載の自動販売機。
【請求項１２】
少なくとも前記蓄電装置、電源継電部及び停電時制御部を有する停電時駆動ユニットを備えた
ことを特徴とする請求項１、２、３、４、５、６、７、８、９、１０または１１記載の自動販売機。
【請求項１３】
前記蓄電装置として電気二重層キャパシタを用いた
ことを特徴とする請求項１、２、３、４、５、６、７、８、９、１０、１１または１２記載の自動販売機。
【発明の詳細な説明】
【技術分野】
【０００１】
本発明は、ビン、缶またはペットボトル入り飲料、各種食料品等を販売する自動販売機を停電時に駆動する自動販売機に関するものである。
【背景技術】
【０００２】
従来、この種の自動販売機としては、前面を開口した自動販売機本体と、自動販売機本体の前面を開閉する外扉と、自動販売機本体内に設けられた商品収納庫と、商品収納庫内に設けられた複数の商品収納コラムと、商品収納庫内を冷却する冷却装置と、商品収納庫内を加熱するヒータと、硬貨または紙幣を処理する金銭処理装置とを備え、金銭処理装置に金銭が投入され、商品選択スイッチにより任意の商品が選択されると、商品収納コラムの商品搬出装置によって商品を商品取出口に搬出するようにしたものが知られている。
【０００３】
ところで、大規模な災害が発生して電気、ガス、水道等のライフラインが停止するような非常時には、飲料や食料を被災者に早急に供給する必要があるため、例えば公共施設等に設置されている自動販売機の商品を被災者に無償で提供することが望まれる。
【０００４】
しかしながら、従来の自動販売機では、商品搬出装置等の機器が商用電源によって駆動されるため、停電時は商品搬出装置による商品の搬出が不可能である。また、外扉を開放する場合には鍵が必要となるため、自動販売機内に収納された食料や飲料を被災者に早急に供給することは困難である。
【０００５】
そこで、停電時に商品搬出装置による商品の搬出を可能にしたものとして、予め商用電源によって蓄電装置に蓄電しておき、商用電源の停電を検知すると、商品搬出装置の駆動源を商用電源から蓄電装置に切り換えるようにしたものが知られている（例えば、特許文献１参照）。
【先行技術文献】
【特許文献】
【０００６】
【特許文献１】特開平１０−１１６３７９号公報
【発明の概要】
【発明が解決しようとする課題】
【０００７】
前述のように停電時に蓄電装置によって商品搬出装置を駆動するようにした自動販売機では、蓄電装置の電力消費を最小限にするために、冷却装置、ヒータ、照明装置等、商品搬出装置以外の他の電力消費機器には蓄電装置の電力を供給しないようにしている。このため、停電時には、金銭を投入せずとも、商品選択スイッチにより商品を選択すれば商品が搬出されるように制御する必要があるが、このような制御は通常の制御とは異なるため、主制御部に停電時用の制御プログラムを追加する必要がある。また、蓄電装置や電源切換回路等、停電時のみ必要となる機器も備える必要がある。
【０００８】
しかしながら、このような停電時用の機器を標準装備として搭載した自動販売機は高価となるため、災害時の商品無償提供を想定していない自動販売機では無用の装備となる。一方、既に設置されている通常の自動販売機において、停電時の商品搬出機能を追加したい場合には、蓄電装置等の停電時用機器を増設するとともに、主制御部を停電時用のプログラムを備えたものに交換する必要がある。しかしながら、主制御部を交換するにはコストが高くつくとともに、交換に伴う新たな配線接続作業も多くなり、既存の自動販売機への停電時商品搬出機能の追加は困難であった。
【０００９】
本発明の目的とするところは、停電時の商品搬出機能を容易且つ低コストに追加することのできる自動販売機を提供することにある。
【課題を解決するための手段】
【００１０】
本発明は前記目的を達成するために、商品搬出装置及び他の電力消費機器を非停電時に商用電源によって駆動されるように制御する主制御部を備えた自動販売機おいて、前記商用電源の停電時に電源となる蓄電装置と、停電時に蓄電装置からの電力を供給する電源継電部と、主制御部とは別体に構成され、停電時に蓄電装置の電力によって動作し、商品搬出装置を停電時に蓄電装置の電力によって駆動されるように制御する停電時制御部とを備え、外扉の前面に広告パネルを設置可能な開口部を有し、開口部内に広告パネルを設置せずに少なくとも停電時制御部を配置し、または開口部内に少なくとも手動式発電機を配置している。
【００１１】
これにより、停電時に商品搬出装置を制御する停電時制御部が主制御部とは別体に構成されていることから、停電時の商品搬出機能を追加する場合、主制御部を停電時用のプログラムを備えたものに交換する必要がない。また、外扉の広告パネル用の開口部内に、広告パネルを設置せずに少なくとも停電時制御部が配置され、または少なくとも手動式発電機が配置されることから、停電時制御部または手動式発電機を設置するための開口部を別途設ける必要がない。
【発明の効果】
【００１２】
本発明によれば、停電時の商品搬出機能を追加する場合、主制御部を停電時用のプログラムを備えたものに交換する必要がないので、自動販売機の製造時のみならず、既設の自動販売機にも停電時の商品搬出機能を容易且つ低コストに追加することができ、災害時に飲料や食料の提供が可能な自動販売機の普及に大いに貢献することができる。また、停電時制御部または手動式発電機を設置するための開口部を別途設ける必要がないので、停電時制御部または手動式発電機の追加をより容易且つ低コストに行うことができる。
【図面の簡単な説明】
【００１３】
【図１】本発明の一実施形態を示す自動販売機の斜視図
【図２】自動販売機の側面断面図
【図３】自動販売機のブロック図
【図４】停電時駆動ユニットのユニットパネルを示す正面図
【図５】本発明の他の実施形態を示す自動販売機のブロック図
【図６】停電時駆動ユニットのユニットパネルを示す正面図
【発明を実施するための形態】
【００１４】
図１乃至図４は本発明の一実施形態を示すものである。同図に示す自動販売機は、前面を開口した自動販売機本体１と、自動販売機本体１の前面を開閉する外扉２と、自動販売機本体内に設けられた断熱性の商品収納庫３と、商品収納庫３の前面を開閉する断熱性の内扉４と、商品収納庫３内に設置された複数の商品収納コラム５と、商品収納コラム５内の商品を搬出する商品搬出装置６と、利用者が投入した金銭を処理する金銭処理装置７と、商品搬出装置６及び他の電力消費機器を制御する主制御部８と、外部から電源が入力される電源入力部９と、停電時に商品搬出装置６を駆動する停電時駆動ユニット１０とを備えている。
【００１５】
自動販売機本体１は、商品収納庫３の下方に機械室１ａを有し、機械室１ａ内には商品収納庫３内を冷却するための冷凍機器等が収容されている。
【００１６】
外扉２は、幅方向一端側を自動販売機本体１に回動自在に支持され、その前面には商品サンプル室２ａ、複数の商品選択スイッチ２ｂ、紙幣投入口２ｃ、硬貨投入口２ｄ、硬貨返却口２ｅ及び商品取出口２ｆが設けられている。商品サンプル室２ａ内には、各商品選択スイッチ２ｂに対応する複数の商品サンプル２ｇと、商品サンプル室２ａ内を照明する照明装置２ｈ（図１及び図２では図示省略）が設けられている。また、外扉２の前面の上下方向略中央には、停電時駆動ユニットが設置される開口部２ｉが設けられ、開口部２ｉは停電時の商品搬出機能を有しない仕様の自動販売機の場合には広告パネルが設置されるようになっている。即ち、広告パネルが設置される場合は、開口部２ｉは透明板で覆われ、その内部には商品や商品製造元の広告を表示した広告パネルが配置される。
【００１７】
商品収納庫３は、前面を開口した断熱箱３ａによって形成され、その内部には冷却器及び送風機からなる冷却ユニット３ｂ及びヒータ３ｃが設けられている。即ち、冷たい商品を販売する場合は冷却ユニット３ｂによって商品収納庫３内を冷却し、温かい商品を販売する場合はヒータ３ｃによって商品収納庫３内を加熱するようになっている。この場合、図示していないが、商品収納庫３内は幅方向複数の収納室に仕切られており、各収納室ごとに冷却または加熱されるようになっている。また、商品収納庫３内には各商品収納コラム５から落下した商品を前方に案内するシュート板３ｄが設けられている。
【００１８】
内扉４は、商品収納庫３の前面開口部を開閉するように幅方向一端側を自動販売機本体１に回動自在に支持され、その下部には複数の商品搬出口４ａが設けられている。
【００１９】
各商品収納コラム５は、いわゆるサーペンタイン式の周知の構造からなり、商品収納庫３内の前後方向及び幅方向に配列されている。商品収納コラム５は、上部の商品投入口５ａから投入された商品を蛇行状の商品通路５ｂに収納し、商品通路の下端に設けられた商品搬出装置６により、商品通路５ｂ内の商品を一つずつ下方に落下させて搬出するようになっている。
【００２０】
各商品搬出装置６は、商品通路５ｂの下方から２番目の商品をロックレバー６ａで保持した状態で、ゲートレバー６ｂを開放して最下位の商品を商品通路５ｂから落下させる周知の構造からなり、ロックレバー６ａ及びゲートレバー６ｂは図示しないソレノイドで駆動されるようになっている。また、商品搬出装置６には、商品収納コラム５内の商品の売り切れを検知する売切検知装置（図示せず）が設けられており、売切検知装置は、例えば商品収納コラム５内の商品との接触及び非接触により商品の有無を検知する検知部材及びスイッチからなる。
【００２１】
金銭処理装置７は、図示しない紙幣識別装置及び硬貨処理装置からなり、外扉２の背面側に設置されている。紙幣識別装置は紙幣投入口２ｃに投入された紙幣を識別して収納する周知の機器からなり、硬貨処理装置は硬貨投入口２ｄに投入された硬貨を識別して収納するとともに、釣り銭を硬貨返却口２ｅに払い出す周知の機器からなる。
【００２２】
主制御部８は、ＣＰＵ、ＲＯＭ、ＲＡＭ等を有するマイクロコンピュータによって構成され、各商品選択スイッチ２ｂ及び金銭処理装置７に接続されている。また、主制御部８は、照明装置２ｈを制御する照明制御部８ａ、冷熱機器８ｂ（冷却ユニット３ｂ用の圧縮機、凝縮器用送風機、ヒータ３ｃ等）を制御する冷熱制御部８ｃ、商品搬出装置６を制御する搬出制御部８ｄに接続され、商品搬出装置６及び他の電力消費機器（照明装置２ｈ及び冷熱機器８ｂ）を制御するようになっている。この場合、主制御部８には、商品搬出装置６の前記売切検知装置（図示せず）が接続されている。
【００２３】
電源入力部９は、交流１００Ｖの商用電源Ｅに接続され、金銭処理装置７、照明装置２ｈ、冷熱機器８ｂ及び商品搬出装置６にそれぞれ電力を供給するようになっている。また、電源入力部９は、交流１００Ｖの電力を直流２４Ｖに変換し、商品選択スイッチ２ｂの表示灯、主制御部８、照明制御部８ａ、冷熱制御部８ｃ及び搬出制御部８ｄにそれぞれ供給するようになっている。
【００２４】
停電時駆動ユニット１０は、自動販売機の他の機器とは別体に構成され、広告パネルが設置されていない外扉２の開口部２ｉに設置されている。停電時駆動ユニット１０は、商用電源Ｅによって蓄電される蓄電装置１１と、停電時に蓄電装置１１の電力を供給する電源継電部１２と、停電時に電源継電部１２が蓄電装置１１からの電力を供給するか否かを設定する継電設定手段としての継電設定スイッチ１３と、商品搬出装置６を蓄電装置１１からの電力によって駆動されるように制御する停電時制御部１４と、商品搬出装置６の制御モードを切り換えるモード切換スイッチ１５と、蓄電装置１１を蓄電可能な手動式の発電機１６と、開口部２ｉの内側に配置されるユニットパネル１７と、開口部２ｉを開閉するユニット扉１８とを備えている。
【００２５】
蓄電装置１１は、周知の電気二重層キャパシタ（ＥＤＬＣ）からなり、電源入力部９を介して商用電源Ｅに接続されている。この場合、蓄電装置１１は、商用電源Ｅによって直流２４Ｖの電力を蓄電するようになっている。蓄電装置１１には複数のＬＥＤからなるインジケータ１１ａが接続され、蓄電されている電力の残量をインジケータ１１ａによって表示するようになっている。
【００２６】
電源継電部１２は蓄電装置１１に接続され、蓄電装置１１からの電力を停電時制御部１４、商品選択スイッチ２ｂの表示灯及び搬出制御部８ｄに供給するようになっている。また、電源継電部１２はインバータ１２ａによって直流２４Ｖの電力を交流１００Ｖに変換し、商品搬出装置６に供給するようになっている。この電源継電部１２は、電源入力部９の入力電圧を検出し、停電により電源入力部９の入力電圧が０Ｖとなった場合、蓄電装置１１に蓄電されている電力が２４Ｖ以上であって、且つ継電設定スイッチ１３が停電時に蓄電装置１１からの電力を供給するように設定されている場合に、蓄電装置１１からの電力を供給するようになっている。
【００２７】
継電設定スイッチ１３は電源継電部１２に接続され、商品搬出装置６に蓄電装置１１の電力を供給する場合は「災害」に設定し、蓄電装置１１の電力を供給しない場合は「通常」に設定する（図４参照）。
【００２８】
停電時制御部１４は、主制御部８とは別体に構成されたマイクロコンピュータからなり、各商品選択スイッチ２ｂ及び搬出制御部８ｄに接続されている。停電時制御部１４は、停電時に電源継電部１２によって蓄電装置１１から電力が供給されると起動し、搬出制御部８ｄに対して制御信号を出力するようになっている。即ち、停電時制御部１４は金銭処理装置７、照明制御部８ａ及び冷熱制御部８ｃには接続されておらず、金銭を投入しなくとも、商品選択スイッチ２ｂにより商品を選択すると、その商品の商品搬出装置６を作動するようになっている。
【００２９】
モード切換スイッチ１５は停電時制御部１４に接続され、第１の制御モードと第２の制御モードとを相互に切り換えるようになっている。第１の制御モードは、商品搬出装置６の売切検知装置によって商品の売り切れが検知された場合は商品選択スイッチ２ｂの表示灯に売り切れ表示を点灯するとともに、その売り切れ商品に対応する商品選択スイッチ２ｂを操作しても商品搬出装置６が動作しないようにする制御モードである。また、第２の制御モードは、商品の売り切れが検知された場合でも商品選択スイッチ２ｂの表示灯に売り切れ表示を点灯させず、その売り切れ商品に対応する商品選択スイッチ２ｂを操作すると商品搬出装置６が動作する制御モードである。即ち、第１の制御モードにする場合は「売切表示あり」に設定し、第２の制御モードにする場合は「売切表示なし」に設定する（図４参照）。
【００３０】
発電機１６は蓄電装置１１に接続され、手動で回転させることにより発電した電力を蓄電装置１１に供給するようになっている。発電機１６は着脱自在なハンドル１６ａを有し、ハンドル１６ａによって回転するようになっている。
【００３１】
ユニットパネル１７は、背面側に蓄電装置１１、発電機１６、電源継電部１２の回路基板等が搭載され、その前面にはインジケータ１１ａ、継電設定スイッチ１３及びモード切換スイッチ１５が配置されている。ユニットパネル１７の前面には、発電機１６のハンドル１６ａを着脱自在に保持する保持部１７ａが設けられ、ハンドル１６ａは保持部１７ａに保持されて開口部２ｉ内に格納されている。また、ユニットパネル１７の前面には、発電機１６のハンドル１６ａを発電機１６に連結する連結孔１７ｂが設けられ、連結孔１７ｂには保持部１７ａから取り外したハンドル１６ａの一端が連結される。
【００３２】
ユニット扉１８は開口部２ｉを覆うように形成され、開口部２ｉの幅方向一端側に回動自在に支持されている。ユニット扉１８には錠前１８ａが設けられ、図示しない鍵によりユニット扉１８が施錠及び解錠されるようになっている。
【００３３】
以上のように構成された自動販売機においては、通常時（商用電源Ｅから電力の供給を受けている時）には、商品収納庫３の各収納室内が冷却ユニット３ｂによって冷却され、またはヒータ３ｃによって加熱される。また、照明装置２ｈによって商品サンプル室２ａが照明される。ここで、利用者が紙幣投入口２ｃまたは硬貨投入口２ｄに金銭を投入し、商品選択スイッチ２ｂによって所望の商品を選択すると、投入金銭が金銭処理装置７によって処理されるとともに、選択された商品の商品収納コラム５の商品が商品搬出装置６によって搬出され、商品取出口２ｆに払い出される。また、商品収納コラム５の商品が売り切れた場合は、商品搬出装置６の売切検知装置によって商品の売り切れが検知され、商品選択スイッチ２ｂの表示灯に売り切れ表示が点灯する。
【００３４】
ところで、大規模な災害が発生して電気、ガス、水道等のライフラインが停止するような非常時には、飲料や食料を被災者に早急に供給する必要があるため、例えば公共施設等に設置されている自動販売機の商品を被災者に提供することが望まれる。このような場合、継電設定スイッチ１３が「災害」に設定されていれば、後述するように停電時でも商品収納コラム５の商品を無償で搬出することが可能となる。
【００３５】
即ち、電源継電部１２によって商用電源Ｅの停電が検知されると、継電設定スイッチ１３が「災害」に設定されている場合は、商品搬出装置６に蓄電装置１１からの電力が供給される。これにより、金銭を投入しなくとも、商品選択スイッチ２ｂにより所望の商品を選択すると、その商品の商品搬出装置６が作動し、商品取出口２ｆに商品が搬出される。この場合、蓄電装置１１は、金銭処理装置７、照明装置２ｈ及び冷熱機器８ｂには接続されていないので、これらの他の電力消費機器によって蓄電装置１１の電力が消費されることはない。また、前記停電時において、モード切換スイッチ１５により第１の制御モードに設定されている場合は、商品搬出装置６の売切検知装置によって商品の有無が検知され、商品収納コラム５の商品が全て搬出された場合は、その商品の商品選択スイッチ２ｂの表示灯に売り切れ表示が点灯される。一方、モード切換スイッチ１５によって第２の制御モードに設定されている場合は、商品収納コラム５の商品が全て搬出された場合でも、その商品の商品選択スイッチ２ｂの表示灯には売り切れ表示が点灯されない。
【００３６】
また、蓄電装置１１に蓄電されている電力の残量はインジケータ１１ａによって確認することができるので、蓄電装置１１の電力が消耗した場合は、発電機１６によって発電した電力を蓄電装置１１に蓄電することができる。その場合は、ユニットパネル１７の保持部１７ａからハンドル１６ａを取り外すとともに、ハンドル１６ａの一端を連結孔１７ｂに連結し、ハンドル１６ａを手動で操作して発電機１６を回転させる。
【００３７】
前記自動販売機において、停電時駆動ユニット１０以外の構成は、通常の自動販売機と同等の構成であり、停電時の商品搬出機能を追加したい場合のみ、自動販売機の製造時に停電時駆動ユニット１０が搭載される。この場合、外扉２の開口部２ｉに、広告パネルの代わりに停電時駆動ユニット１０を設置することにより、停電時商品搬出機能を追加することができる。具体的には、停電時駆動ユニット１０の機器を搭載したユニットパネル１７を外扉２の背面側に取り付けるとともに、開口部２ｉにユニット扉１８を取り付ける。その際、商品選択スイッチ２ｂ、商品搬出装置６、搬出制御部８ｄ及び電源入力部９との配線接続は、これらの接続部にコネクタを設けておくことにより、コネクタによって停電時駆動ユニット１０の電気接続が行われる。また、既設の自動販売機においては、外扉２の開口部２ｉから広告パネルを取り外すことにより、停電時駆動ユニット１０を搭載することができる。
【００３８】
このように、本実施形態の停電時駆動装置によれば、商用電源Ｅによって蓄電される蓄電装置１１と、停電時に蓄電装置１１からの電力を供給する電源継電部１２と、主制御部８とは別体に構成され、商品搬出装置６を蓄電装置１１からの電力によって駆動されるように制御する停電時制御部１４とを備えているので、停電時の商品搬出機能を追加する場合、主制御部８を停電時用のプログラムを備えたものに交換する必要がなく、自動販売機の製造時のみならず、既設の自動販売機にも停電時商品搬出機能を容易且つ低コストに追加することができ、災害時に飲料や食料の提供が可能な自動販売機の普及に大いに貢献することができる。
【００３９】
この場合、蓄電装置１１、電源継電部１２及び停電時制御部１４を有する停電時駆動ユニット１０を備えているので、停電時駆動ユニット１０を自動販売機に搭載して配線接続するだけで停電時の商品搬出機能を追加することができ、追加作業を極めて容易に行うことができる。
【００４０】
更に、蓄電装置１１に用いた電気二重層キャパシタからなる蓄電装置は、大電流充放電が可能で、長寿命かつ高温安定性に優れるため、停電時駆動ユニット１０の蓄電装置として極めて有利である。
【００４１】
また、停電時駆動ユニット１０を、広告パネルが設置されていない外扉２の開口部２ｉに設置可能に形成したので、停電時駆動ユニット１０を設置するための開口部を別途設ける必要がなく、停電時駆動ユニット１０の追加をより容易且つ低コストに行うことができる。
【００４２】
更に、災害時の商品無償搬出は自動販売機の管理者（自動販売機が設置されている場所（公共施設等）の管理者）の判断が必要であるが、停電時駆動ユニット１０には、停電時に商品搬出装置６に蓄電装置１１からの電力を供給するか否かを設定する継電設定スイッチ１３が設けられているので、継電設定スイッチ１３の設定を管理者が必要に応じて切り換えることができ、一時的な停電など、非災害時の停電では停電時制御部１４による商品の搬出を行わないようにすることができる。
【００４３】
また、停電時駆動ユニット１０に、開口部２ｉを外部から開閉可能なユニット扉１８を設け、停電時駆動ユニット１０のユニットパネル１７（操作部）をユニット扉１８によって開閉するようにしたので、通常時にユニットパネル１７が外部に露出することがなく、ユニットパネル１７を外部から保護することができる。
【００４４】
更に、停電時駆動ユニット１０に、ユニット扉１８を施錠可能な錠前１８ａを設けたので、専用の鍵でユニット扉１８の錠前１８ａを解錠し、ユニット扉１８を開放しなければ、継電設定スイッチ１３を操作することができず、ユニットパネル１７の継電設定スイッチ１３及びモード切換スイッチ１５の設定が第三者によって無断で変更されることがないという利点がある。この場合、錠前１８ａに代えて、例えば透明板を突き破って扉の開放レバーを操作するようにしたり、或いは開放レバー操作用の孔を塞ぐシールを剥がしてレバーを操作するようにしてもよい。
【００４５】
また、電源継電部１２が停電を検知した際、蓄電装置１１に蓄電されている電力が所定の電圧以上であって、継電設定スイッチ１３が商品搬出装置６に蓄電装置１１からの電力を供給するように設定されている場合に、商品搬出装置６に蓄電装置１１からの電力を供給するようにしたので、停電時に蓄電装置１１の電力が十分な場合のみ蓄電装置１１への切り換えを行うことができ、停電時に商品搬出装置６を確実に駆動することができる。
【００４６】
更に、停電時駆動ユニット１０に、商品搬出装置６の売切検知装置によって商品の売り切れが検知された場合は商品選択スイッチ２ｂの売り切れ表示を点灯する第１の制御モードと、商品の売り切れが検知された場合でも商品選択スイッチ２ｂの売り切れ表示を点灯しない第２の制御モードとを相互に切り換えるモード切換スイッチ１５を設けたので、売り切れ表示を点灯するか否かを任意に選択することができる。これにより、第１の制御モードに設定すれば、売り切れ表示の点灯により商品の有無を確認することができるので、利用者に対する利便性を向上させることができるとともに、売り切れとなった商品の商品搬出装置６は動作することがないので、蓄電装置１１の電力を無用に消費することがないという利点がある。また、第２の制御モードに設定すれば、売り切れ表示の点灯によって蓄電装置１１の電力が消費されることがないので、その分だけ蓄電装置１１の電力を長持ちさせることができる。
【００４７】
また、停電時駆動ユニット１０に、蓄電装置１１を蓄電する手動式の発電機１６を設けたので、蓄電装置１１の電力が消耗した場合でも、発電機１６によって蓄電装置１１の蓄電を行うことができ、停電が長時間に及ぶ場合に極めて有利である。
【００４８】
更に、停電時駆動ユニット１０の停電時制御部１４を外扉２の商品選択スイッチ２ｂに接続し、外扉２の商品選択スイッチ２ｂにより選択された商品を商品搬出装置６によって搬出するようにしたので、停電時における商品選択手段として外扉２の商品選択スイッチ２ｂを利用することができ、停電時駆動ユニット１０の構造を簡素化することができる。
【００４９】
尚、前記実施形態の停電時駆動ユニット１０は、外扉２の商品選択スイッチ２ｂを商品選択手段として用いるようにしているが、図５及び図６に示す他の実施形態のように、停電時駆動ユニット１０に専用の商品選択手段としての商品選択スイッチ１９を設けるようにしてもよい。
【００５０】
即ち、本実施形態の停電時駆動ユニット１０では、ユニットパネル１７に複数の商品選択スイッチ１９が設けられ、各商品選択スイッチ１９は停電時制御部１４に接続されている。各商品選択スイッチ１９には商品収納コラムに対応する番号が付されており、ユニット扉１８を開放することにより、外部から操作可能になっている。尚、停電時駆動ユニット１０の他の構成は前記実施形態と同様である。
【００５１】
本実施形態によれば、停電時駆動ユニット１０が専用の商品選択スイッチ１９を備えているので、停電時駆動ユニット１０を追加する際、外扉２の商品選択スイッチ２ｂに接続する必要がなく、その分だけ配線接続作業を容易に行うことができる。また、外扉２の商品選択スイッチ２ｂとの配線接続用コネクタを設ける必要もないので、構造の簡素化を図ることができる。更に、停電時の商品搬出を想定していない自動販売機にも、商品搬出装置６への配線のみで停電時駆動ユニット１０を搭載することができるので、汎用性の向上を図ることができる。
【符号の説明】
【００５２】
２…外扉、２ｂ…商品選択スイッチ、２ｉ…開口部、６…商品搬出装置、８…主制御部、１０…停電時駆動ユニット、１１…蓄電装置、１２…電源継電部、１３…継電設定スイッチ、１４…停電時制御部、１５…モード切換スイッチ、１６…発電機、１７…ユニットパネル、１８…ユニット扉、１９…商品選択スイッチ、Ｅ…商用電源。
【図１】
0005555577.tif 000002
【図２】
0005555577.tif 000003
【図３】
0005555577.tif 000004
【図４】
0005555577.tif 000005
【図５】
0005555577.tif 000006
【図６】
0005555577.tif 000007